(57)【要約】【課題】  運転者のブレーキペダル操作力により発生する圧力を精度よく検出し、ブレーキペダル操作力に応じたホイルシリンダ圧を高い精度で発生させるブレーキ倍力制御装置を提供すること。【解決手段】  ブレーキアシスト制御とアンチロックブレーキ制御とを同時に制御する際、アンチロックブレーキ制御からの減圧要求に対し、ホイルシリンダの液圧がマスタシリンダより高圧である場合は、ゲート弁GVOPを開弁状態としてホイルシリンダのブレーキ液を減少させることによって減圧動作を行う第１減圧手段と、ホイルシリンダの液圧がマスタシリンダより低圧である場合は、ゲート弁GVOPを開弁状態とし、かつ保持弁SIFLを閉弁状態、減圧弁SOFLを開弁状態、ポンプPMPPを駆動して減圧動作を行う第２減圧手段を備えた。【選択図】        図４
2008273384.tif 000002
【特許請求の範囲】
【請求項１】
運転者の制動操作に対応する液圧を発生させるマスタシリンダと、
前記マスタシリンダと導通可能な吸入孔を有するポンプと、
前記マスタシリンダと前記ポンプの吸入孔との導通状態を制御する吸入弁と、
前記マスタシリンダおよび前記ポンプの吐出孔の双方と導通可能なホイルシリンダと、
前記マスタシリンダと前記ホイルシリンダとを結ぶブレーキ回路の途中にあって、これらの導通状態を制御するゲート弁と、
前記ゲート弁よりホイルシリンダ側において連通する１系統２輪分のホイルシリンダへの導通状態をそれぞれ制御する保持弁と、
前記ホイルシリンダおよび前記ポンプの吸入孔の双方と導通可能なリザーバと、
前記ホイルシリンダと前記リザーバとの導通状態を制御する減圧弁と、
前記ゲート弁を閉弁状態、前記吸入弁を開弁状態、前記保持弁を開弁状態、前記減圧弁を閉弁状態とし、前記ポンプを駆動して前記マスタシリンダにより発生した制動力を補助するブレーキアシスト制御を実行するブレーキアシスト手段と、
前記マスタシリンダ、前記ホイルシリンダ、前記ポンプ、前記リザーバとの導通状態を制御する処理と、前記ポンプを作動状態とする処理とを含み、車輪のロックを回避すべく前記ホイルシリンダの液圧を増減圧制御するアンチロックブレーキ制御を実行するアンチロックブレーキ手段と、
を備えた制動力制御装置において、
前記アンチロックブレーキ手段は、前記ブレーキアシスト制御中であって、かつ、前記ホイルシリンダの液圧が前記マスタシリンダの液圧より高圧のときは、前記アンチロックブレーキ制御による減圧要求に対し、前記ゲート弁を開弁状態として前記ホイルシリンダの減圧動作を行う第１減圧手段と、
前記ブレーキアシスト制御中であって、かつ、前記ホイルシリンダの液圧が前記マスタシリンダの液圧より低圧のときは、前記アンチロックブレーキ制御による減圧要求に対し、前記ゲート弁を開弁状態、前記吸入弁を閉弁状態、前記保持弁を閉弁状態、前記減圧弁を開弁状態として前記ホイルシリンダの減圧動作を行う第２減圧手段と、
を有することを特徴とする制動力制御装置。
【請求項２】
請求項１記載の制動力制御装置において、
前記第１減圧手段実行時に、前記ホイルシリンダの液圧および前記マスタシリンダの液圧との差圧が所定値以下となった場合に、前記第２減圧手段に切り替えることを特徴とする制動力制御装置。
【請求項３】
請求項１または２に記載の制動力制御装置において、
前記アンチロックブレーキ制御手段は、各輪の車輪スリップ量相当値を演算するスリップ演算手段を有し、前記第１減圧手段実行時に、前記車輪スリップ量相当値が所定値以上となった場合に、前記第２減圧手段に切り替えることを特徴とする制動力制御装置。
【請求項４】
請求項１ないし３いずれか一つに記載の制動力制御装置において、
前記ゲート弁よりホイルシリンダ側において連通する１系統２輪分のホイルシリンダのうち、液圧の高いホイルシリンダを高圧側ホイルシリンダと判断し、液圧の低いホイルシリンダを低圧側ホイルシリンダと判断する判断手段を備え、
前記アンチロックブレーキ制御手段は、前記高圧側ホイルシリンダに対してのみ前記第１減圧手段の実行を許可し、前記低圧側ホイルシリンダに対しては前記マスタシリンダと前記ホイルシリンダとの液圧の関係に関わらず、常に、前記第２減圧手段を実行することを特徴とする制動力制御装置。
【請求項５】
請求項４に記載の制動力制御装置において、
前記第２減圧手段により前記ホイルシリンダから流出したブレーキ液量である減圧弁流出液量を演算する減圧弁流出液量演算手段と、
前記ゲート弁から前記減圧弁流出液量分を流出させるのに必要な開弁時間である平衡開弁時間を演算する平衡開弁時間演算手段と、
を備え、
前記アンチロックブレーキ手段は、前記低圧側ホイルシリンダにおいて前記第２減圧手段が実行されたときは、前記平衡開弁時間の間、前記ゲート弁を開弁状態とする過増圧防止手段を有することを特徴とする制動力制御装置。
【請求項６】
請求項１ないし５いずれか一つに記載の制動力制御装置において、
前記アンチロックブレーキ手段は、前記ブレーキアシスト制御中であって、かつ、前記ホイルシリンダの液圧が前記マスタシリンダの液圧より高圧のときは、前記アンチロックブレーキ手段により増圧要求に対し、前記吸入弁を開弁状態として前記ブレーキアシスト手段による増圧を行う第１増圧手段と、
前記ブレーキアシスト制御中であって、かつ、前記ホイルシリンダの液圧が前記マスタシリンダの液圧より低圧のときは、前記アンチロックブレーキ制御による増圧要求に対し、前記ゲート弁を開弁状態、前記吸入弁を閉弁状態、前記保持弁を開弁状態、前記減圧弁を閉弁状態として前記ホイルシリンダの増圧動作を行う第２増圧手段と、
を有することを特徴とする制動力制御装置。
【請求項７】
請求項６に記載の制動力制御装置において、
前記ゲート弁よりホイルシリンダ側において連通する１系統２輪分のホイルシリンダのうち、液圧の高いホイルシリンダを高圧側ホイルシリンダと判断し、液圧の低いホイルシリンダを低圧側ホイルシリンダと判断する判断手段を備え、
前記アンチロックブレーキ制御手段は、前記高圧側ホイルシリンダに対してのみ前記第１増圧手段の実行を許可し、前記低圧側ホイルシリンダに対しては前記マスタシリンダと前記ホイルシリンダとの液圧の関係に関わらず、常に、前記第２増圧手段を実行することを特徴とする制動力制御装置。
【発明の詳細な説明】
【技術分野】
【０００１】
本発明は、運転者が制動操作を行ったときに、運転者による制動操作に対応する圧力よりも高い制動液圧を供給するブレーキアシスト制御と、制動時に車輪がロックするのを防止するアンチロックブレーキ制御を行うブレーキ制御装置に関する。
【背景技術】
【０００２】
従来、運転者の緊急制動操作を検知した場合や、ブレーキフェードにより運転者の制動操作では運転者の意図する十分な制動力が得られない場合等に、運転者の制動操作に対応する圧力よりも高い制動液圧を供給する制動装置が知られている。このように運転者の制動操作に対応する圧力よりも高い制動液圧を供給することで、運転者の意図する制動力を発生させることができるブレーキ制御を、ブレーキアシスト制御（以下、BA制御）と称している。
【０００３】
また、制動時に車輪のスリップが過大となった場合に、その車輪のホイルシリンダ圧を適切に操作する、アンチロックブレーキ制御（以下、ABS制御）も周知の技術である。したがって、上記BA制御においても、ABS制御と組み合わせることによって車輪に過大なスリップを発生させること無く、大きな制動力を発生させることが可能となる。
【０００４】
上記BA制御およびABS制御は、例えば特許文献１に記載されるが如く、マスタシリンダとホイルシリンダとを結ぶブレーキ回路の途中に、これらの導通状態を制御するゲート弁と、ゲート弁よりホイルシリンダ側において連通する１系統２輪分のホイルシリンダへの導通状態を制御する保持弁と、ポンプと、マスタシリンダとポンプの吸入孔との導通状態を制御する吸入弁と、ポンプの吸入孔に連通するリザーバと、リザーバとホイルシリンダとの導通状態を制御する減圧弁とを備える装置において実現される。
【０００５】
上記装置において、BA制御が開始されると、吸入弁を開弁状態とし、かつポンプを作動状態とすることで、マスタシリンダ側のブレーキ液をポンプによって圧送させ、この際にゲート弁を閉弁状態とし、保持弁を開弁状態とし、減圧弁を閉弁状態とするとホイルシリンダ圧をポンプの吐出量に応じて増圧させることができる。すなわち、運転者による制動操作に対応する圧力よりも高い制動液圧を供給できる。
【０００６】
また、上記BA制御状態から、吸入弁を閉弁状態とし、かつ保持弁を閉弁状態とし、減圧弁を開弁状態とすると、ホイルシリンダとリザーバが導通し、ブレーキ液がリザーバへ流れることにより減圧が可能となる。制動時に車輪のスリップが過大となり、ホイルシリンダの減圧が必要な場合、上記減圧手段によって減圧を行い車輪のスリップを制御することができる。このような手段によってBA制御中におけるABS制御を実現することができる。
【０００７】
上記減圧手段によって、ホイルシリンダの減圧によりリザーバに流れ込んだブレーキ液は、連通するポンプの吸入孔へと導かれ、ポンプによって圧送される。このとき、上記減圧手段実施中においては、ゲート弁、保持弁が共に閉弁状態であるために、ゲート弁，保持弁及びポンプの吐出孔との間の高圧油路が遮断された状態となる。この高圧油路が遮断状態でポンプによってリザーバ内のブレーキ液が圧送されると、高圧油路の圧力が更に上昇する。特許文献１に記載の技術にあっては、ゲート弁にリリーフ弁が内蔵されており、高圧油路の液圧がマスタシリンダ圧に比べて所定のリリーフ圧となった場合に、高圧油路からマスタシリンダ側へ向かうブレーキ液の流れを許可する構造とし、高圧油路における過度の増圧を防止している。
【０００８】
しかしながら、特許文献１に記載の技術では、高圧油路における過度の増圧を防止するため、前記ゲート弁にリリーフ弁を内蔵する手段をとっており、このような手段ではコストがかかる上、弁自体が大型化する。
【０００９】
そこで、特許文献２に記載の技術にあっては、リリーフ弁を内蔵させる構成に代えて、リリーフ手段としてゲート弁にリリーフ圧を変化させられるリニアソレノイド弁を利用し、高圧油路における過度の増圧を防止している。
【特許文献１】特開平１１−２０６４０号公報
【特許文献２】特開２００６−５１５９２号公報
【発明の開示】
【発明が解決しようとする課題】
【００１０】
しかしながら、特許文献２に記載の技術では、リリーフ弁を必要としないため、リリーフ弁を内蔵するのに係るコストや大型化は回避できたとしても、リニアソレノイド弁を採用する必要がある。このリニアソレノイド弁は、コストがかかる上、弁自体が大型化する問題は解決されない。例えば電流に対する開度の関係を確保するには、ソレノイド自体が大型化し、また、制御性を確保する必要があるからである。
【００１１】
本発明は、上述の課題に鑑みてなされたものであり、廉価な構成でBA制御とABS制御とを同時に制御できる制動力制御装置を提供することを目的とする。
【課題を解決するための手段】
【００１２】
上記目的を達成するため、本発明では、運転者の制動操作に対応する液圧を発生させるマスタシリンダと、
前記マスタシリンダと導通可能な吸入孔を有するポンプと、
前記マスタシリンダと前記ポンプの吸入孔との導通状態を制御する吸入弁と、
前記マスタシリンダおよび前記ポンプの吐出孔の双方と導通可能なホイルシリンダと、
前記マスタシリンダと前記ホイルシリンダとを結ぶブレーキ回路の途中にあって、これらの導通状態を制御するゲート弁と、
前記ゲート弁よりホイルシリンダ側において連通する１系統２輪分のホイルシリンダへの導通状態をそれぞれ制御する保持弁と、
前記ホイルシリンダおよび前記ポンプの吸入孔の双方と導通可能なリザーバと、
前記ホイルシリンダと前記リザーバとの導通状態を制御する減圧弁と、
前記ゲート弁を閉弁状態、前記吸入弁を開弁状態、前記保持弁を開弁状態、前記減圧弁を閉弁状態とし、前記ポンプを駆動して前記マスタシリンダにより発生した制動力を補助するブレーキアシスト制御を実行するブレーキアシスト手段と、
前記マスタシリンダ、前記ホイルシリンダ、前記ポンプ、前記リザーバとの導通状態を制御する処理と、前記ポンプを作動状態とする処理とを含み、車輪のロックを回避すべく前記ホイルシリンダの液圧を増減圧制御するアンチロックブレーキ制御を実行するアンチロックブレーキ手段と、
を備えた制動力制御装置において、
前記アンチロックブレーキ手段は、前記ブレーキアシスト制御中であって、かつ、前記ホイルシリンダの液圧が前記マスタシリンダの液圧より高圧のときは、前記アンチロックブレーキ制御による減圧要求に対し、前記ゲート弁を開弁状態として前記ホイルシリンダの減圧動作を行う第１減圧手段と、
前記ブレーキアシスト制御中であって、かつ、前記ホイルシリンダの液圧が前記マスタシリンダの液圧より低圧のときは、前記アンチロックブレーキ制御による減圧要求に対し、前記ゲート弁を開弁状態、前記吸入弁を閉弁状態、前記保持弁を閉弁状態、前記減圧弁を開弁状態として前記ホイルシリンダの減圧動作を行う第２減圧手段を有することを特徴とする。
【００１３】
すなわち、ゲート弁，保持弁及びポンプの吐出側との間で構成される油路を高圧油路としたとき、ブレーキアシスト制御中における高圧油路の液圧は、アンチロックブレーキ制御の減圧要求時に第１減圧手段が実行されることで、ゲート弁が開弁して減圧される。これにより、高圧油路の液圧はアンチロックブレーキ制御の減圧要求時の液圧、すなわち車輪ロック圧以上とならない。よって、高圧油路に対して余剰な液圧を加えることが無く、リリーフ弁やソレノイド弁のように高価なリリーフ手段が無くともブレーキアシスト制御とアンチロックブレーキ制御とを同時に制御することができる。
【発明を実施するための最良の形態】
【００１４】
以下、本発明の最良の実施形態について図面に基づいて説明する。
【実施例１】
【００１５】
図１は、本発明の一実施例である制動力制御装置のシステム構成図である。本実施例の制動力制御装置では、左前輪FLおよび右後輪RRを含む第１系統Pと、右前輪FRおよび左後輪RLを含む第２系統Sを含む。これら２つの系統は構成において同一である。このため、以下の記載においては、第１系統Pの構成および動作に関して説明する。すなわち、第２系統の構成および動作は以下の記載において、P(系統)をS（系統）にFLをFRに、RRをRLに変換して考えればよい。
【００１６】
実施例１の制動力制御装置は、コントロールユニット（以下ECU）により制御される。制動力制御装置は、ブレーキペダルBPを備え、ブレーキペダルBPはバキュームブースタBBへ連結されている。このバキュームブースタBBにて運転者のブレーキ踏力を増大させ、これによりマスタシリンダMCに液圧が発生する。マスタシリンダMCは2つの液圧室を有するタンデム型であり、それぞれ第１系統Pと第２系統Sに連通している。
【００１７】
第１系統Pの液圧通路H0Pには、液圧センサPSMが配置されており、液圧通路H0Pの液圧、すなわちマスタシリンダMCが発生する液圧を電気信号に変換してECUに供給し、ECUにてマスタシリンダ液圧PMCを検出する。
【００１８】
液圧通路H0Pには、ゲート弁GVOPを介して高圧油路H1Pが接続されている。ゲート弁GVOPは、非制御状態で開弁状態を維持し、ECUより駆動信号が供給されると、液圧通路H0Pと高圧油路H1Pとの連通状態を遮断する常開型の電磁弁である。ゲート弁GVOPには並列してチェック弁CVPが配置されている。チェック弁CVPは高圧油路H1Pから液圧通路H0Pへと向かうブレーキ液の流れのみを許容する一方向弁となっている。
【００１９】
高圧油路H1Pは、保持弁SIFL，SIRRを介し、それぞれホイルシリンダ液圧路H2FL，H2RRに連通している。保持弁SIFL，SIRRは、非制御状態で開弁状態を維持し、ECUより駆動信号が供給されると、高圧油路H1Pとホイルシリンダ液圧路H2FL，H2RRとの連通状態を遮断する常開型の電磁弁である。
【００２０】
保持弁SIFL，SIRRには並列してチェック弁CVFL，CVRRがそれぞれ配置されている。チェック弁CVFL，CVRRは、ホイルシリンダ液圧路H2FL，H2RRから高圧油路H1Pへと向かうブレーキ液の流れのみを許容する一方向弁となっている。ホイルシリンダ液圧路H2FL，H2RRは、ホイルシリンダWCFL，WCRRにそれぞれ連通している。
【００２１】
また、各車輪には液圧センサPSFL，PSRRが配置されており、各ホイルシリンダが発生する液圧を電気信号に変換してECUに供給し、ECUにてホイルシリンダ液圧PWCFL（RR）を検出する。
【００２２】
同時に、各車輪には車輪速センサVWFL，VWRRが設置されており、車輪速VWに応じた周期でパルス信号を出力する。車輪速センサVWFL，VWRRの出力信号はECUに供給され、ECUにて車輪速VWFL(RR)を検出する。
【００２３】
ホイルシリンダ液圧路H2FL，H2RRは、減圧弁SOFL，SORRを介して減圧路H3Pと連通している。減圧弁SOFL，SORRは、非制御状態で閉弁状態を維持し、ECUより駆動信号が供給されると、ホイルシリンダ液圧路H2FL、H2RRと減圧路H3Pとを開通させる常閉型の電磁弁である。
【００２４】
減圧路H3Pは、リザーバRSVPに連通している。リザーバRSVPはその内部にピストンおよびスプリングを内蔵しており、スプリングを弾性変形させることにより、ブレーキ液を蓄えることができる。
【００２５】
リザーバRSVPは、一方向弁CVRPを介して吸入路HPPへ連通している。吸入路HPPは、ポンプPMPPの吸入側に連通している。ポンプPMPPの吐出側は高圧油路H1Pに連通している。また、吸入路HPPは、吸入弁GVIPを介して液圧通路H0Pに連通している。吸入弁GVIPは、非制御状態で閉弁状態を維持し、ECUより駆動信号が供給されると、液圧通路H0Pと吸入路HPPとを開通させる常閉の電磁弁である。
【００２６】
ポンプPMPPは、ECUの指令供給によってモータMOTが駆動することによって、リザーバPSVPに蓄えられたブレーキ液もしくは、吸入弁GVIPを開弁することによって液圧通路H0Pより流れ込んだブレーキ液を高圧油路H1Pに送り出すことが出来る。
【００２７】
BA制御は、運転者の緊急制動操作を検知した場合や、ブレーキフェードなどにより運転者の制動操作では運転者の意図する十分な制動力が得られない際に、ホイルシリンダ液圧をマスタシリンダ液圧よりも高圧にして、運転者の制動操作をアシストするものである。このアシスト制御では、ゲート弁GVOPを閉弁させて、液圧通路H0Pと高圧油路H1Pを遮断させ、かつ、吸入弁GVIPを開弁させて液圧通路H0Pと吸入路HPPを開通させ、モータMOTを駆動してポンプPMPPにより吸入路HPPに流れ込んだブレーキ液を高圧油路H1Pに送り出すことにより、ホイルシリンダ液圧をマスタシリンダ液圧よりも高圧状態にすることができる。
【００２８】
また、BA制御中に、車輪のスリップが過大となった場合、その車輪のホイルシリンダ液圧を適切に制御するABS制御が実施される。ABS制御の原理は周知であり、簡単に説明すると、各車輪速センサVWFL、VWFR、VWRL、VWRRからの入力に基づいて、制動時の車輪スリップを演算し、スリップが所定以上となった場合、その車輪のホイルシリンダ液圧を減圧させて車輪ロックを回避した後、車輪速が制動に最も有効なスリップとなるように適宜、増減圧、保持を行うものである。
【００２９】
実施例１の制動力制御装置において、BA制御が開始されると、ホイルシリンダ液圧はマスタシリンダ液圧よりも高圧となり、何れかの車輪において、ABS制御開始閾値を超えるスリップが発生することがある。ECUはBA制御中にABS制御要求を認めると、BA制御とABS制御を同時に実行する。以下このような状態をBA制御中ABS制御と称す。
【００３０】
上述したように、BA制御中においても、車輪がスリップしたときは、確実にABS制御による減圧を確保する必要がある。そのため、BA制御中であっても、吸入路HPP内の液圧は、所定の負圧となるように吸入弁GVIPを閉弁、もしくは開弁時間や周期を制御している。すなわち、ABS制御によって減圧弁からブレーキ液が排出されるとリザーバRSVPにブレーキ液が流れ込む。この流れ込んだブレーキ液はほぼ大気圧であるため、仮に吸入路HPPが大気圧程度であると、必ずしもリザーバRSVPに流れ込んだブレーキ液が吸入されるとは言えない。すると、次回の減圧制御によってブレーキ液を排出しようとしてもリザーバRSVPがブレーキ液を貯留できずABS制御を適正に実行できなくなる。
【００３１】
そこで、吸入路HPPを所定の負圧となるように制御することで、リザーバRSVPに流れ込んだブレーキ液は必ずポンプPMPPによって吸入される。これにより、リザーバRSVP内に貯留されたブレーキ液がいつまでも残ってしまうことが無く、常に減圧制御を実行可能に構成している。
【００３２】
図２は、BA制御中ABS制御を実施すべく、ECUが実行する制御ルーチンのフローチャートである。図２は制御サイクル毎に実行され、かつ、各輪に関して処理が行われる。同時に、図３に示すタイムチャートにて、上記BA制御中ABS制御における車輪速度およびマスタシリンダ、ホイルシリンダ液圧波形、ホイルシリンダ圧とマスタシリンダ圧の差圧の波形動作例を示す。
【００３３】
なお、図３の時間の区切りは、主として減圧のタイミングに重点をおいて示している。また、図３において、説明の都合上、第一系統であるFL輪、RR輪に関しての例を示しているが、これを第二系統に置き換えても、図３中のＦＬ輪とＲＲ輪の上下関係を逆に考えても、上記BA制御中ABS制御の成立性は変わらない。
【００３４】
まず、図２中ステップ１０１にてBA制御中であるかどうかを判定し、BA制御中と判断された場合、ステップ１０２が実行される。
【００３５】
ステップ１０２では、ECUの指令供給によってモータMOTが駆動することによってポンプPMPPが駆動される。尚、モータMOTの駆動はBA制御開始と同時に適宜設定された目標回転数に一致するように継続して駆動されており、BA制御中ABS制御では、すでにモータMOTは駆動していると考えてよい。
【００３６】
図３においては、時間ｔ１にてBA制御要求が発生し、ステップ１０３→１０７→１０９が実行され、ゲート弁GVOPが閉弁され、吸入弁GVIPが開弁し、液圧通路H0Pと吸入路HPPが開通し、ブレーキ液が吸入路HPPへ流入し、流入したブレーキ液はポンプPMPPによって高圧油路H1Pへ吐出される。
【００３７】
高圧油路H1Pへ流入したブレーキ液は、ホイルシリンダ液圧路H2FL、H2RRに流れ込み、その結果ホイルシリンダ圧PWCFL、PWCRRがマスタシリンダ圧PMCより高圧状態に導かれる。以下、この状態をポンプアップ増圧と称す。ポンプアップ増圧の増圧量は、吸入弁GVIPの開弁時間または、ポンプPMPPを駆動するモータMOTの回転数により制御可能である。
【００３８】
次にステップ１０３ではABS制御中であるかどうかを判断する。図３において、擬似車体速VIは各車輪速センサVWFL，VWFR，VWRL，VWRRからの入力に基づいて作成される。ABS制御の開始は、擬似車体速VIに対して所定のスリップ量となる値に演算されたABS介入閾値を、4輪何れかの車輪速度が下回った時となる。ABS制御中である場合はステップ１０４、ABS制御中ではない場合はステップ１０７が実行される。
【００３９】
ステップ１０７では、ゲート弁GVOPが閉弁され、続いてステップ１０８が実行される。ステップ１０８では、保持要求の有無が判断される。保持要求はBA制御において、運転者の制動操作に応じたアシスト量の最大値を超えた場合に発生する。保持要求が無いと判断された場合はステップ１０９が実行され、吸入弁GVIPを開き、ホイルシリンダのポンプアップ増圧が継続される。一方、保持要求が有ると判断された場合、ステップ１１０にて吸入弁GVIPが閉弁され、液圧通路H0Pからポンプ吸入孔へのブレーキ液流入が遮断されることによって保持が行われる。
【００４０】
一方、ステップ１０３にて、ABS制御中と判断された場合、ステップ１０４が実行され、ステップ１０４では減圧要求の有無を判断し、減圧要求が有る場合はステップ１０５、減圧要求が無い場合はステップ１０６が実行される。
【００４１】
ステップ１０５では図４に示す、BA制御中ABS減圧制御が実施される。なお、図４中PWCXX，PWCYYにおいて、XXは演算車輪、YYは演算輪に対して同系統で連通するもう一方の車輪を表す。例えば、実施例１のようなX配管の場合、XX＝FLのときYY＝RRのようになる。以下、例としてFL輪に関して（XX=FL、YY＝RRの場合について）説明するが、これを別系統に置き換えて考えても、上記BA制御中ABS制御の成立性は変わらない。
【００４２】
〔BA制御中ABS減圧制御〕
図４は、BA制御中ABS減圧制御処理を表すフローチャートである。
ステップ２０１ではホイルシリンダ圧PWCFLとマスタシリンダ圧PMCとの差圧PWCMCが所定液圧α１以下であるかどうかを判断する。これにより、上記差圧PWCMCが小さい領域に対し、ステップ２０１における判断において、オフセット量α１により、ゲート弁GVOPで確実に減圧可能な領域を調整できる。
【００４３】
ステップ２０１において、ホイルシリンダ圧PFLとマスタシリンダ液圧PMCとの差圧が所定液圧α１以下であると判断された場合、ステップ２０２が実行される。一方、ホイルシリンダ圧PFLとマスタシリンダ圧PMCとの差圧が所定液圧α１以下ではないと判断された場合は、ステップ２０３が実行される。
【００４４】
ステップ２０２では、各車輪速センサVWFL、VWFR、VWRL、VWRRからの入力に基づいてECUで演算されたスリップが、所定値β１以上であるかを判断する。ステップ２０２にてスリップが所定値β１以上と判定された場合、ステップ２０３が実行される。一方、スリップが所定値β１より小さい場合には、ステップ２０４が実行される。
【００４５】
一方、ステップ２０３では、例えば処理を行っている車輪が左前（FL）輪に関しての場合、1系統で連通するもう一方の車輪（RR）のホイルシリンダ圧（PWCRR）がマスタシリンダ圧PMCより高圧であるかどうかを判断する。1系統で連通するもう一方の車輪（RR）のホイルシリンダ圧（PWCRR）がマスタシリンダ圧PMCより高圧側である場合、ステップ２０５が実行される。反対に低圧側である場合、ステップ２０８が実行される。
【００４６】
また、ステップ２０４では該当車輪（左前）のホイルシリンダ圧（PWCFL）が1系統の連通するもう一方の車輪（右後）のホイルシリンダ圧（PWCRR）に対して高圧側かどうかを判断する。判断方法はたとえば、それぞれのホイルシリンダ液圧の大小関係より判断する方法などが考えられる。
【００４７】
ステップ２０４にて該当車輪（左前）のホイルシリンダ圧（PWCFL）が1系統の連通するもう一方の車輪（右後）のホイルシリンダ圧（PWCRR）に対して高圧側である場合には、ステップ２０６が実行される。具体的には、ゲート弁GVOPが開弁状態、吸入弁GVIPが閉弁状態、保持弁SIFLが開弁状態とされ、該当車輪（左前)のホイルシリンダ圧を発生させているブレーキ液は、ホイルシリンダ圧（PWCFL）とマスタシリンダ液圧PMCとの差圧を利用して、ホイルシリンダ液圧路H2FL、高圧油路H1P、液圧通路H0Pの流路にて流出し、ホイルシリンダ圧が減圧される。
【００４８】
一方、ステップ２０４にて該当車輪（左前）のホイルシリンダ圧（PWCFL）が1系統の連通するもう一方の車輪（右後）のホイルシリンダ圧（PWCRR）に比して低圧側である場合には、ステップ２０５が実行される。
【００４９】
ステップ２０５では、保持弁SIFLが閉弁され、減圧弁SOFLが開弁されることにより、ホイルシリンダ液圧路H2FL、減圧路H3P、リザーバRSVPの流路にて流出し、ホイルシリンダ圧が減圧される。また、1系統のうち、もう一方の保持弁SIRRは閉弁し、ホイルシリンダ液圧路H2RRと高圧油路H1Pは遮断される。
【００５０】
ステップ２０７では、高圧油路過増圧防止手段が実行される。高圧油路過増圧防止手段とは、ホイルシリンダから減圧されたブレーキ液がポンプPMPPにより高圧油路H1Pへ余分に流れ込むことで高圧になることを防止するものであり、詳細については後述する。
【００５１】
ステップ２０８では保持弁SIFLが閉弁され、減圧弁SOFLが開弁され、ゲート弁GVOPが開弁される。この状態では連通する１系統の両方の車輪ホイルシリンダ圧（PWCFL，PWCRR）が共にマスタシリンダ液圧PMCよりも低圧となる状態であり、ゲート弁GVOPを開弁する。
【００５２】
次に実際に、図３に示す実施例１におけるBA制御中ABS制御波形の例使って、減圧制御の流れを説明する。
【００５３】
図３における時間ｔ２にて右後車輪速VWRRのスリップ量がABS介入閾値下回り、ABS制御が開始され、まずロックを回避するための減圧要求が発生する。このとき、右後車輪RRにおける図４のBA制御中ABS減圧制御処理（図４においてXX=RR、YY＝FL）におけるステップ２０１にて、同系統の他方輪FLより低圧であることから、ステップ２０３に移行する。ステップ２０３において、ホイルシリンダ圧PWCFLは、マスタシリンダ圧PMCより高圧であることから、ステップ２０５へ移行する。ステップ２０５において、RR輪保持弁SIRRが閉弁され、減圧弁SORRが開弁されることにより、減圧要求値に応じた減圧が実行される。
【００５４】
このとき、減圧弁SORRを開弁することにより右後輪RRのホイルシリンダWCRRから流出したブレーキ液は、リザーバRSVP、ポンプPMPPを経由して高圧油路H1Pへ吐出される。このとき、ゲート弁GVOP、保持弁SIRRは閉弁、保持弁SIFLは開弁しているため、高圧油路H1P流れ込んだブレーキ液は、そのまま保持弁SIFLを通って左前輪のホイルシリンダ通路H2FLへ流れ込むことになり、BA制御またはABS制御手段で意図した以上の増圧が発生することになる。
【００５５】
このため、ステップ２０５実行後にステップ２０７が実行され、図５に示すような高圧油路過増圧防止手段によって演算された平衡開弁時間tvbだけ、ゲート弁を開弁する処理によって、高圧油路H1Pのブレーキ液量の平衡を保つ。本処理の詳細は後述する。
【００５６】
図３における時間ｔ３にて、左前車輪速VWFLのスリップ量がABS介入閾値を下回ると、減圧要求が発生する。このとき、左前輪FLにおける図４のBA制御中ABS減圧制御処理（図４においてXX=FL、YY＝RR）では、ステップ２０１→２０２→２０４→２０６となり、ゲート弁GVOPが開弁され、かつ吸入弁GVIPが閉弁され、かつ保持弁SIFLが開弁され、減圧要求値に応じた減圧が実行される。
【００５７】
このとき、同系統の他方輪である右後輪RRは、時間ｔ２の時点で減圧を行い、保持弁SIRRが閉弁されており、右後輪ホイルシリンダ液圧路H2RRと高圧油路H1Pが遮断されているため、ゲート弁GVOPが開弁しても右後輪RRのホイルシリンダWCRRが減圧することは無い。
【００５８】
次に時間ｔ４にて、左前車輪速VWFLのスリップ量がABS制御の減圧閾値を下回り、減圧要求が発生する。ABS制御の減圧閾値は、各車輪速センサVWFL，VWFR，VWRL，VWRRからの入力に基づいて作成された擬似車体速VIに対して、所定のスリップ量にて演算され、前記ABS介入閾値よりもスリップ量閾値が小さく設定されており、車輪速がこの閾値を下回ると、該当輪に減圧要求が発生する。
【００５９】
このとき、図４のBA制御中ABS減圧制御処理（図４においてXX=FL、YY＝RR）では、上記と同じでステップ２０１→２０２→２０４→２０６となり、ゲート弁GVOPが開弁され、かつ吸入弁GVIPが閉弁され、かつ保持弁SIFLが開弁され、減圧要求値に応じた減圧が実行される（以下、ゲート弁GVOPを用いた減圧制御を第１減圧手段と記載する）。しかしながら、時間ｔ４〜ｔ５間のように、時間ｔ４における減圧によってもなお車輪スリップがさらに大きくなる場合、さらに減圧要求が発生する。
【００６０】
ところがこの領域では、ホイルシリンダ圧PWCFLとマスタシリンダ圧PMCとの差圧が小さくなっており、ゲート弁GVOP開弁による減圧が満足に行えず、ABS制御を行うためのホイルシリンダ液圧の制御性が劣化する。
【００６１】
そこで時間ｔ５にて、ステップ２０１において、ホイルシリンダ圧PWCFLとマスタシリンダ圧PMCとの差圧が所定（α１）以上の条件が成立せず、ステップ２０３が実行される。ステップ２０３にて同系統の一方のホイルシリンダ圧PWCRRはマスタシリンダ圧以上ではないため、ステップ２０８が実行され、ゲート弁GVOPが開弁状態、保持弁SIFLが閉弁状態、減圧弁SOFLが開弁状態とされ、ホイルシリンダ圧PWCFLは減圧要求どおりに減圧される（以下、減圧弁SOFLを用いた減圧制御を第２減圧手段と記載する）。
【００６２】
すなわち時間ｔ５のタイミングでホイルシリンダ圧PWCFLの主となる減圧制御弁をゲート弁GVOPから減圧弁SOFLへ切り替え、ホイルシリンダ液圧の制御性を確保することができる。
【００６３】
時間ｔ６にて、右後車輪速VWRRのスリップ量がABS制御の減圧閾値を下回り、減圧要求が発生する。このときの図４のBA制御中ABS減圧制御処理（図４においてXX=RR、YY＝FL）では、ステップ２０１→２０３となる。ステップ２０３にて同系統の一方のホイルシリンダ圧PWCFLがマスタシリンダ圧以上であると判断されるため、ステップ２０５が実行される。ステップ２０５では、該当車輪である右後ＲＲにおける保持弁SIRRが閉弁され、減圧弁SORRが開弁し、ホイルシリンダ圧PWCRRは減圧要求どおりに減圧される。
【００６４】
時間ｔ７にて、左前車輪速VWFLのスリップ量がABS制御の減圧閾値を下回り、減圧要求が発生する。このときの動作は上記時間ｔ４と同様である。しかし、その後の時間ｔ７〜ｔ８のように、スリップが急激に大きくなった場合、時間ｔ５での動作として前述した差圧による制御切り替え判定では切り替えが遅い場合がある。
【００６５】
このため、時間ｔ８にて左前車輪速VWFLのスリップ量が減圧手段切り替え閾値β１を下回ると、上記差圧による制御切り替え判定の判定結果にかかわらず、制御を切り替える。減圧手段切り替え閾値β１はＡＢＳの減圧閾値よりもスリップ量が大きめに設定されている。すると、時間ｔ８における図４のBA制御中ABS減圧制御処理（図４においてXX=FL、YY＝RR）では、ステップ２０１→２０２なり、２０２にてスリップ量≧β１となり、ステップ２０３が実行される。ステップ２０３以降の処理は時間ｔ５の場合と同じであるため省略する。
【００６６】
時間ｔ９にて左前車輪速VWFLのスリップ量がＡＢＳの減圧閾値を下回り、減圧要求が発生する。このときの動作は上記時間ｔ４と同様であるが、減圧したことによって時間ｔ１０にてホイルシリンダ圧PWCFLとホイルシリンダ圧PWCRRとの上下関係が逆転している。
【００６７】
時間ｔ９直前では、ゲート弁GVOPは閉弁かつ、左前輪の保持弁SIFLは開弁かつ、右後輪の保持弁SIRRは閉弁しており、時間ｔ９の左前輪に対する減圧要求によって、ゲート弁GVOPを開弁することでホイルシリンダ圧PWCFLの減圧を行う。しかしながら、ｔ１０の減圧要求に対して、さらにゲート弁GVOPを開弁すると、ホイルシリンダ圧PWCFLと同時に減少する高圧油路H１Pの液圧が、ホイルシリンダ圧PWCRRよりも低圧となる。その結果、右後輪ホイルシリンダ液圧路H2RRのブレーキ液は、保持弁SIRRと並列に設置されたチェック弁CVRRを通って流出し、ホイルシリンダ圧PWCRRは高圧油路H１Pの液圧、すなわちフロントホイルシリンダ圧PWCFLまで意図せず減圧してしまい、ABS制御として必要な各輪独立した液圧制御性を失ってしまう。
【００６８】
上記の問題は、高圧油路H１Pの液圧を、1系統のホイルシリンダWCFL，WCRRのうち、液圧の高い方にあわせることで解決可能であり、図２のステップ２０４の処理によって実現される。
【００６９】
時刻ｔ１０での左前輪の減圧要求に対し、図４のBA制御中ABS減圧制御処理（図４においてXX=FL、YY＝RR）では、ステップ２０１→２０２→２０３→２０４となり、ステップ２０４にて、ホイルシリンダ圧PWCFLが、同一系統のもう一方のホイルシリンダ圧PWCRRに対して高圧側であることを条件とし、時間ｔ１０ではホイルシリンダ圧PWCFLが、同一系統のもう一方のホイルシリンダ圧PWCRRに対して低圧側と判断されるため、ステップ２０５が実行される。
【００７０】
ステップ２０５にて左前輪の減圧制御が、減圧弁SIFLが開弁することによって行われ、かつ、処理は後述する増圧制御手段の説明で行うが、同一系統のもう一方の保持弁SIRRが開弁することで、高圧油路H１Pの液圧をホイルシリンダ圧PWCRRとする。すなわち時間ｔ１０のタイミングでホイルシリンダ圧PWCFLの主となる減圧制御弁をゲート弁GVOPから減圧弁SOFLへ切り替え、かつ、ホイルシリンダ圧PWCRRの主となる減圧制御弁を減圧弁SORRからゲート弁GVOPへ切り替える。
【００７１】
時間ｔ１１では、右後車輪速VWRRのスリップ量がABS制御の減圧閾値を下回り、減圧要求が発生する。このとき、図４のBA制御中ABS減圧制御処理（図４においてXX=RR、YY＝FL）では、ステップ２０１→２０２→２０４となり、ゲート弁GVOPが開弁し、かつ吸入弁GVIPが閉弁される。すなわち、ｔ１０の時点で、ホイルシリンダ圧PWCRRの主となる減圧制御弁がゲート弁GVOPへ切り替えられているため、減圧がゲートGVOPで行われる。
【００７２】
また、ステップ２０５が実施された際には、ステップ２０７が実行され、高圧油路過増圧防止手段によって、平衡開弁時間tvbを算出し、算出された時間分ゲート弁を開弁することによって、同一系統のもう一つ側のホイルシリンダの増圧を防ぐ。
【００７３】
図５は、高圧油路過増圧防止手段のフローチャートである。なお、図５に示す処理はブレーキの各系統Ｐ，Ｓについて実施される。説明ではＰ系統に関しての処理を例として記述する。
【００７４】
図５のステップ３０１では、ABS制御による減圧弁開弁時間tvを読み込み、ステップ３０２にて減圧弁流出ブレーキ液量ΔQを推定する。減圧弁流出ブレーキ液量ΔQは、減圧弁の減圧前ホイルシリンダ圧PWC０と開弁時間tvとの関係で定めることが出来る。ECUには前記関係で減圧弁流出ブレーキ液量ΔQが、予め設定された換算テーブルを参照する算出手段または、予め設定された演算式に基づいた算出手段によって定められている。ECUは前記算出手段を利用して、減圧前ホイルシリンダ圧PWC０と開弁時間tvとに基づいて減圧弁流出ブレーキ液量ΔQを推定する。
【００７５】
次に、ステップ３０３にて、減圧弁流出ブレーキ液量ΔQを高圧油路H1Pからゲート弁GVOPより流出させるための、平衡開弁時間tvbを算出する。平衡開弁時間tvbもまた、減圧弁流出ブレーキ液量ΔQ、および、ホイルシリンダ圧PFLとの関係で定めることが出来る。ECUには前記関係で、平衡開弁時間tvbが前記減圧弁流出ブレーキ液量ΔQおよび、高圧油路H1Pの液圧とマスタシリンダ圧PMCとの差圧PWCMCに応じて、予め設定された換算テーブルを参照する算出手段または、予め設定された演算式に基づいた算出手段によって定められている。
【００７６】
ECUは前記算出手段を利用して、減圧弁流出ブレーキ液量ΔQとマスタシリンダ圧PMCとの差圧PWCMCとに基づいて、平衡開弁時間tvbを算出する。ECUは演算された平衡開弁時間tvbに従い、ゲート弁を平衡開弁時間tvbだけ開弁する。
【００７７】
ここで、高圧油路過増圧防止手段として、ゲート弁から流出させる理由について説明する。高圧油路H1Pが過剰に高圧になるのを回避するには、高圧油路H1Pに吐出されるブレーキ液を少なくするか、もしくは、過剰に吐出されたブレーキ液を抜けばよい。すなわち、ポンプPMPPの吸入側において吸入弁GVIPを絞るか、ゲート弁GVOPから流出させるかのどちらかを取りうる。
【００７８】
しかしながら、マスタシリンダ圧以上でかつ高圧側であるホイルシリンダ圧の制御では、保持動作を吸入弁GVIPで行う為（後述するフローチャートのステップ４１０参照）、過増圧防止手段を吸入弁GVIPで実行すると、吸入弁GVIPに二つの指令が出力されることで競合が生じ，制御不可能となる為である。
【００７９】
〔BA制御中ABS増圧制御〕
次に、本実施例におけるBA制御中ABS制御実行時に、図２のステップ１０４にて減圧要求が無く、ステップ１０６のBA制御中ABS増圧制御が実施される場合について、図６、図７を用いて説明する。
【００８０】
図６はBA制御中ABS増圧制御が実施される場合の制御フローチャートの一例である。なお図４と同じく、図６中PWCXX、PWCYYにおいて、XXは演算車輪、YYは演算輪に対して同系統で連通するもう一方の車輪をあらわしている。たとえば、実施例のようなX配管の場合、XX＝FLのときYY＝RRのようになる。以下、例として左前輪に関して（XX=FL、YY＝RRの場合について）説明するが、これを別系統に置き換えて考えても、上記BA制御中ABS制御の成立性は変わらない。
【００８１】
まず図６のステップ４０１にて、増圧要求が発生しているかどうかを判断する。増圧要求が発生している場合はステップ４０２が実行される。一方、増圧要求が無い場合は、すでにステップ１０４にて減圧要求が無いことも分かっているため、保持要求である。この場合はステップ４０８が実行される。
【００８２】
ステップ４０２は、ホイルシリンダ圧PFLとマスタシリンダ液圧PMCとの差圧が所定液圧α２以上であると判断された場合、ステップ４０４が実行され、反対に、ホイルシリンダ圧PFLとマスタシリンダ液圧PMCとの差圧が所定液圧α２以上では無い判断された場合はステップ４０３が実行される。
【００８３】
ステップ４０３は、たとえば処理を行っている車輪が左前（FL）輪に関しての場合、1系統で連通するもう一方の車輪（RR）のホイルシリンダ圧（PWCRR）がマスタシリンダ圧PMCより高圧であるかどうかを判断する。1系統で連通するもう一方の車輪（RR）のホイルシリンダ圧PWCRRがマスタシリンダ圧PMCより高圧側である場合、ステップ４０５が実行される。反対に低圧側である場合、ステップ４０７が実行される。
【００８４】
一方、ステップ４０４では、該当車輪（左前）のホイルシリンダ圧PWCFLが1系統の連通するもう一方の車輪（右後）のホイルシリンダ圧PWCRRに対して高圧側かどうかを判断する。この判断は前記ステップ２０４と同様の判断による。
【００８５】
ステップ４０４にて該当車輪（左前）のホイルシリンダ圧PWCFLが1系統の連通するもう一方の車輪（右後）のホイルシリンダ圧PWCRRに対して高圧側である場合には、ステップ４０６が実行され、ゲート弁GVOPを閉弁状態、吸入弁GVIPが開弁状態とし、前記ポンプアップ増圧状態とすることでホイルシリンダ圧PWCFLが増圧できる。
【００８６】
ステップ４０４にて該当車輪（左前）のホイルシリンダ圧PWCFLが1系統の連通するもう一方の車輪（右後）のホイルシリンダ圧PWCRRに対して低圧側であると判断された場合には、ステップ４０５が実行される。
【００８７】
ステップ４０５は、保持弁SIFLが開弁され、減圧弁SOFLは閉弁する。これにより、該当車輪のホイルシリンダ圧PWCFLと高圧油路H1Pの液圧との差圧を利用して、ホイルシリンダWCFLに流入させることで増圧できる。
【００８８】
また、ステップ４０７は、同系統のいずれのホイルシリンダWCFL、WCRRもマスタシリンダ圧PMCに比して小さい（小さいと見てよい）と判断された場合に実行され、この場合、ステップ４０５の原理と同じく、保持弁SIFLが開弁され、減圧弁SOFLは閉弁し増圧し、且つゲート弁GVOPを開弁する。
【００８９】
次に実際に、図７の本実施例におけるBA制御中ABS制御波形の例を使って、増圧制御の流れを説明する。
【００９０】
図７は、図３と同じ動作をしている動作例であり、時間の区切り方を、主として増圧のタイミングに重点をおいて示している。また、図７においても図３と同じく、説明の都合上、第一系統であるFL輪、RR輪に関しての例を示しているが、これを第二系統に置き換えても、図７中のＦＬ輪とＲＲ輪の上下関係を逆に考えても、上記BA制御中ABS制御の成立性は変わらない。
【００９１】
図７中時間ｔ１（これは図３の時間ｔ１と同時間）にてBA制御要求が発生し、前記ポンプアップ増圧にてホイルシリンダ圧PWCFL，PWCRRがマスタシリンダ圧PMCより高圧状態に導かれ、その後、前記図３の時間ｔ２にてBA制御中ABS制御へ移行し、時間ｔ３、ｔ４にて減圧制御が行われ、この減圧制御によってスリップが回復すると、前記ABS制御手段によってスリップ率を最適に制御するために、増圧制御が行われる。
【００９２】
時間ｔ１２にて左前輪に発生する増圧において、図６のBA制御中ABS減圧制御処理（図６においてXX=FL、YY＝RR）では、ステップ４０１にて増圧要求と判断し、ステップ４０２が実行され、ステップ４０２にて、ホイルシリンダ圧PFLとマスタシリンダ液圧PMCとの差圧が所定液圧α２以上であると判断され、ステップ４０４が実行される。
【００９３】
次に、ステップ４０４では、高圧側と判断されるため、ステップ４０６が実行され、ゲート弁GVOPが閉弁かつ、吸入弁GVIPが開弁し、前記ポンプアップ増圧状態となり、増圧が行われる。
【００９４】
時間ｔ１３にて右後輪に発生する増圧において、図６のBA制御中ABS減圧制御処理（図６においてXX=RR、YY＝FL）では、ステップ４０１→ステップ４０２となり、ステップ４０２にて、ホイルシリンダ圧PFLとマスタシリンダ液圧PMCとの差圧が所定液圧α２以上ではないと判断され、ステップ２０５が実行される。
【００９５】
ステップ４０５では、保持弁SIRRが開弁しかつ減圧弁SORRは閉弁し、ホイルシリンダ圧PWCRRと高圧油路H1Pの液圧との差圧を利用して、増圧される。
【００９６】
時間ｔ１４にて左前輪に発生する増圧において、図６のBA制御中ABS減圧制御処理（図６においてXX=FL、YY＝RR）では、事前（図３の時間ｔ５）の減圧にて、ホイルシリンダ圧PFLがマスタシリンダ圧PMCより低くなっている。そのため、ステップ４０２→４０３となり、次にステップ４０３にて1系統で連通するもう一方の車輪（RR）のホイルシリンダ圧PWCRRがマスタシリンダ圧PMCより低圧と判断され、ステップ４０７が実行される。その結果、ステップ４０７にて保持弁SIFLが開弁しかつ減圧弁SOFLは閉弁し、ホイルシリンダ圧PWCRRとマスタシリンダ圧PMCとの差圧を利用して、増圧される。
【００９７】
時間ｔ１５にて左前輪に発生する増圧において、図６のBA制御中ABS減圧制御処理（図６においてXX=FL、YY＝RR）では、ホイルシリンダ圧PWCRRとマスタシリンダ圧PMCとの差圧が小さくなっているため、時間ｔ１４で実行した増圧方法では増圧が行えず、ABS制御を行うためのホイルシリンダ液圧の制御性が劣化する。
【００９８】
その為、ステップ４０２にてホイルシリンダ圧PFLとマスタシリンダ液圧PMCとの差圧が所定液圧α２以上と判断され、ステップ４０４→４０６と実施することで、再び前記ポンプアップ増圧を行うことにより増圧を可能とする。すなわちこのタイミングでホイルシリンダ圧PWCFLの主となる増圧制御弁を保持弁SIFLから吸入弁GVIP（モータMOT）へ切り替える。
【００９９】
時間ｔ１６にて右後輪のホイルシリンダ圧PWCRRが左前輪ホイルシリンダ圧PWCFLを上回る。このタイミングは図３のタイムチャートにて示した、時間ｔ１０と同じである。このときに発生する増圧において、図６のＢＡ制御中ＡＢＳ減圧制御処理（図６においてXX=RR、YY＝FL）では、ステップ４０１→４０２→４０４となり、ステップ４０４にて高圧側と判断され、ゲート弁GVOPが閉弁される。
【０１００】
一方、同時間ｔ１６（図３のタイムチャートにて示した時間ｔ１０）では、前記図４のＢＡ制御中ＡＢＳ減圧制御において、左後輪処理ではステップ２０５が実施され、保持弁SIFLは閉弁かつ減圧弁SOFLが開弁されて減圧が行われる。
【０１０１】
このため、時間ｔ１１にて左前輪に発生する増圧において、図６のBA制御中ABS減圧制御処理（図６においてXX=FL、YY＝RR）では、ステップ４０１→４０２→４０３→４０５となり、保持弁SIFLを開弁し、減圧弁SOFLを閉弁することにより、ホイルシリンダ圧PWCFLと高圧油路H1Pの液圧との差圧を利用して、増圧される。
【０１０２】
すなわち、時間ｔ１７において、図３の時間ｔ１０の動作で前述したような、ホイルシリンダ圧PWCFLの主となる減圧制御弁をゲート弁GVOPから減圧弁SOFLへ切り替え、かつ、ホイルシリンダ圧PWCRRの主となる減圧制御弁を減圧弁SORRからゲート弁GVOPへ切り替えると同時に、ホイルシリンダ圧PWCFLの主となる増圧制御弁を吸入弁GVIP（モータMOT）から保持弁SIFLへ切り替え、かつ、ホイルシリンダ圧PWCRRの主となる増圧制御弁を保持弁SIRRから吸入弁GVIP（モータMOT）へ切り替えている。
【０１０３】
次に図６ステップ４０１にて増圧要求が無い場合、すなわち、保持要求の動作を説明する。以下、例として左前輪に関して（XX=FL、YY＝RRの場合について）説明するが、これを別系統に置き換えて考えても、上記BA制御中ABS制御の成立性は変わらない。
【０１０４】
ステップ４０１にて増圧要求が無い場合にステップ４０８が実行される。ステップ４０８では、該当車輪（左前）のホイルシリンダ圧PWCFLがマスタシリンダ圧PMCより高圧かどうかを判断する。該当車輪（左前）のホイルシリンダ圧PWCFLがマスタシリンダ圧PMCより高圧である場合、ステップ４０９が実行され、反対に該当車輪（左前）のホイルシリンダ圧PWCFLがマスタシリンダ圧PMC以下である場合、ステップ４１１が実行される。
【０１０５】
ステップ４０９では、該当車輪（左前）のホイルシリンダ圧PWCFLが1系統の連通するもう一方の車輪（右後）のホイルシリンダ圧PWCRRに対して高圧側かどうかを判断する。この判断は前記ステップ２０４と同様の判断による。
【０１０６】
ステップ４０９にて、該当車輪（左前）のホイルシリンダ圧PWCFLが1系統の連通するもう一方の車輪（右後）のホイルシリンダ圧PWCRRに対して高圧側と判断された場合には、減圧弁SOFLを閉弁、かつ吸入弁GVPを閉弁することで、ポンプアップ増圧による増圧を停止し、ホイルシリンダ圧PWCFLを保持する。
【０１０７】
一方、該当車輪（左前）のホイルシリンダ圧PWCFLが1系統の連通するもう一方の車輪（右後）のホイルシリンダ圧PWCRRに対して低圧側と判断された場合には、保持弁SIFLを閉弁、かつ減圧弁SOFLを閉弁することで、高圧油路H1Pからホイルシリンダ液圧路H2FLへのブレーキ液の流入および、ホイルシリンダ液圧路H2FLから減圧路H3Pへのブレーキ液の流出を遮断し、ホイルシリンダ圧PWCFLを保持する。
【０１０８】
このように、本実施例１にあっては、従来技術のように、高圧油路のリリーフ手段に高価なリリーフ弁やソレノイド弁を用いることがないため、従来に比べて、廉価な構成でBA制御とABS制御とを同時に制御できる。
【０１０９】
ところで、上記の実施例１においては、各ホイルシリンダ圧を液圧センサによって検出していたが、実施例１からホイルシリンダ圧センサを取り除いた構成でもよい。各輪のホイルシリンダ圧は、マスタシリンダ圧センサ検出値と各制御弁の駆動信号とポンプ駆動状態によって推定することは公知の技術あり、この推定値を実施例１における各輪ホイルシリンダ圧に置き換えて考えればよい。
【０１１０】
以下、実施例１に基づく技術的思想の創作に係る作用効果について下記に列挙する。
(1)ゲート弁を閉弁状態、吸入弁を開弁状態、保持弁を開弁状態、減圧弁を閉弁状態とし、ポンプを駆動してマスタシリンダにより発生した制動力を補助するブレーキアシスト制御を実行するブレーキアシスト手段と、マスタシリンダ、ホイルシリンダ、ポンプ、リザーバとの導通状態を制御する処理と、ポンプを作動状態とする処理とを含み、車輪のロックを回避すべくホイルシリンダの液圧を増減圧制御するアンチロックブレーキ制御を実行するアンチロックブレーキ手段とを備えた制動力制御装置において、ECUは、ブレーキアシスト制御中であって、かつ、ホイルシリンダの液圧がマスタシリンダの液圧より高圧のときは、アンチロックブレーキ制御による減圧要求に対し、ゲート弁を開弁状態としてホイルシリンダの減圧動作を行う第１減圧手段と、ブレーキアシスト制御中であって、かつ、ホイルシリンダの液圧がマスタシリンダの液圧より低圧のときは、アンチロックブレーキ制御による減圧要求に対し、ゲート弁を開弁状態、吸入弁を閉弁状態、保持弁を閉弁状態、減圧弁を開弁状態としてホイルシリンダの減圧動作を行う第２減圧手段とを有することとした。
【０１１１】
すなわち、ゲート弁，保持弁及びポンプの吐出側との間で構成される油路を高圧油路としたとき、ブレーキアシスト制御中における高圧油路の液圧は、アンチロックブレーキ制御の減圧要求時に第１減圧手段が実行されることで、ゲート弁が開弁して減圧される。これにより、高圧油路の液圧はアンチロックブレーキ制御の減圧要求時の液圧、すなわち車輪ロック圧以上とならない。よって、高圧油路に対して余剰な液圧を加えることが無く、リリーフ弁やソレノイド弁のように高価なリリーフ手段が無くともブレーキアシスト制御とアンチロックブレーキ制御とを同時に制御することができる。
【０１１２】
(2)第１減圧手段実行時に、ホイルシリンダの液圧およびマスタシリンダの液圧との差圧が所定値以下となった場合に、第２減圧手段に切り替えることとした。
よって、ホイルシリンダの液圧とマスタシリンダの液圧との差圧が少なくなり、第１減圧手段による減圧が困難となった場合でも、第２減圧手段は大気圧であるリザーバに対してブレーキ液を流す手段であることから、アンチロックブレーキ制御からの減圧要求に対して、確実に減圧動作を実施することができる。
【０１１３】
(3)ECUは、各輪の車輪スリップ量相当値を演算するスリップ演算手段を有し、第１減圧手段実行時に、車輪スリップ量相当値が所定値以上となった場合に、第２減圧手段に切り替えることとした。
例えば、車輪スリップ量相当値が急激に大きくなった場合に、上記(2)に記載の判断では応答性が確保できない場合や、また、ホイルシリンダ液圧の検出誤差により上記(2)による判断が遅れる場合が考えられる。今、ブレーキアシスト制御中のABS制御であることから、原則としてブレーキペダルは運転者により踏み込まれており、マスタシリンダには有る程度の液圧が発生していると考えられる。このとき、リザーバはほぼ大気圧であることから、マスタシリンダの液圧よりもリザーバの液圧の方が低いため、減圧速度を確保することが可能となり、応答性の向上を図ることができる。
【０１１４】
(4)ゲート弁よりホイルシリンダ側において連通する１系統２輪分のホイルシリンダのうち、液圧の高いホイルシリンダを高圧側ホイルシリンダと判断し、液圧の低いホイルシリンダを低圧側ホイルシリンダと判断する判断手段を備え、ECUは、高圧側ホイルシリンダに対してのみ第１減圧手段の実行を許可し、低圧側ホイルシリンダに対してはマスタシリンダとホイルシリンダとの液圧の関係に関わらず、常に、第２減圧手段を実行することとした。
【０１１５】
すなわち、低圧側ホイルシリンダの減圧要求に対してゲート弁を開いてしまうと、高圧側ホイルシリンダの液圧も一緒に低下してしまう。よって、低圧側ホイルシリンダでは常に第２減圧手段により減圧弁から減圧することで、１系統の２つのホイルシリンダの液圧を独立に制御することができる。
【０１１６】
(5)第２減圧手段によりホイルシリンダから流出したブレーキ液量である減圧弁流出液量を演算する減圧弁流出液量演算手段と、ゲート弁から減圧弁流出液量分を流出させるのに必要な開弁時間である平衡開弁時間を演算する平衡開弁時間演算手段と、ゲート弁よりホイルシリンダ側において連通する１系統２輪分のホイルシリンダのうち、液圧の高いホイルシリンダを高圧側ホイルシリンダと判断し、液圧の低いホイルシリンダを低圧側ホイルシリンダと判断する判断手段と、を備え、ECUは、低圧側ホイルシリンダにおいて第２減圧手段が実行されたときは、平衡開弁時間の間、ゲート弁を開弁状態とする過増圧防止手段を有することとした。
【０１１７】
低圧側ホイルシリンダから第１減圧手段により減圧されると、低圧側ホイルシリンダ内のブレーキ液はリザーバに流れ込む。このリザーバはポンプの吸入孔と連通していることから、リザーバに流れ込んだ分だけ高圧側ホイルシリンダに吐出されて意図以上に高圧となる虞がある。そこで、低圧側ホイルシリンダから流出した減圧弁流出液量分をゲート弁から平衡開弁時間の間だけ流出させることで、高圧側ホイルシリンダに流れ込むことを防止することができる。
【０１１８】
(6)ECUは、ブレーキアシスト制御中であって、かつ、ホイルシリンダの液圧がマスタシリンダの液圧より高圧のときは、アンチロックブレーキ手段により増圧要求に対し、吸入弁を開弁状態として前記ブレーキアシスト手段による増圧を行う第１増圧手段と、ブレーキアシスト制御中であって、かつ、ホイルシリンダの液圧がマスタシリンダの液圧より低圧のときは、アンチロックブレーキ制御による増圧要求に対し、ゲート弁を開弁状態、吸入弁を閉弁状態、保持弁を開弁状態、減圧弁を閉弁状態としてホイルシリンダの増圧動作を行う第２増圧手段とを有することとした。
【０１１９】
よって、ブレーキアシスト制御中においてアンチロックブレーキ制御の増圧要求に確実に対応することができる。
【０１２０】
(7)ゲート弁よりホイルシリンダ側において連通する１系統２輪分のホイルシリンダのうち、液圧の高いホイルシリンダを高圧側ホイルシリンダと判断し、液圧の低いホイルシリンダを低圧側ホイルシリンダと判断する判断手段を備え、ECUは、高圧側ホイルシリンダに対してのみ第１増圧手段の実行を許可し、低圧側ホイルシリンダに対してはマスタシリンダとホイルシリンダとの液圧の関係に関わらず、常に、第２増圧手段を実行することとした。
【０１２１】
低圧側ホイルシリンダを増圧するときは、高圧側ホイルシリンダの液圧との差圧を利用することで増圧でき、高圧側ホイルシリンダを増圧するときは、ポンプにより増圧できる。これにより、一つのポンプで１系統の２つのホイルシリンダの液圧を独立に制御することができる。
【図面の簡単な説明】
【０１２２】
【図１】実施例１の制動力制御装置である。
【図２】実施例１において実行される制御フローチャートである。
【図３】実施例１において想定される制御波形の一例で、減圧タイミングに注目しているタイミングチャートである。
【図４】実施例１において減圧制御時に実行される制御フローチャートである。
【図５】実施例１における高圧油路過増圧防止手段のフローチャートである。
【図６】実施例１において想定される制御波形の一例で、増圧タイミングに注目しているタイミングチャートである。
【図７】実施例１において増圧、保持制御時に実行される制御フローチャートである。
【符号の説明】
【０１２３】
MC  マスタシリンダ
PSM  マスタシリンダ液圧センサ
WCFL，WCFR，WCRL，WCRR  各輪ホイルシリンダ
PSFL，PSFR，PSRL，PSRR  各輪ホイルシリンダ圧センサ
VWFL，VWFR，VWRL，VWRR  各輪車輪速度センサ
GVOP，GVOS  各系統ゲート弁
GVIP，GVIS  各系統吸入弁
SIFL，SIFR，SIRL，SIRR  各輪保持弁
SOFL，SOFR，SORL，SORR  各輪減圧弁
RSVP，RSVS  各系統リザーバ
PMPP，PMPS  各系統ポンプ
MOT  ポンプ駆動モータ
ECU  コントロールユニット
【図１】
2008273384.tif 000003
【図２】
2008273384.tif 000004
【図３】
2008273384.tif 000005
【図４】
2008273384.tif 000006
【図５】
2008273384.tif 000007
【図６】
2008273384.tif 000008
【図７】
2008273384.tif 000009